(57)【特許請求の範囲】
【請求項１】
符号分割多元接続(Code Division Multiple Access；ＣＤＭＡ)移動通信システムで、伝送データが存在しない後新たな伝送データが発生する場合、目標信号対干渉比(Signal-to-Interference Ratio；ＳＩＲ)の値を適切に保持するために、専用物理データチャンネルを通じて伝送される伝送データが存在しないとき、前記専用物理データチャンネルを通じて専用物理データチャンネル信号を伝送する方法において、
専用物理制御チャンネルのゲーティング伝送のとき、ゲーティングレートに従って専用物理データチャンネルを伝送して外部循環電力制御を遂行するためにダミービットの数を決定するステップと、
前記伝送データが存在しない場合、前記ダミービットの数に従ってダミービット生成要求信号を発生するステップと、
前記ダミービット生成要求信号を受信すると、ダミービット列を発生し、前記ダミービット列にＣＲＣ(Cyclic Redundancy Check)ビット列を追加して生成された前記専用物理データチャンネル信号を伝送するステップと
からなり、
前記システムは、ＤＰＣＣＨゲーティングの時にもダミービットをデータビットのように伝送することによって、前記ＣＲＣビットが添加されたＤＰＤＣＨを過度なＣＲＣ反復なしで送信することを特徴とする方法。
【請求項２】
ＣＤＭＡ移動通信システムで伝送データが存在しない後新たな伝送データが発生する場合、目標ＳＩＲの値を適切に保持するために、専用物理データチャンネルを通じて伝送される伝送データが存在しないとき、前記専用物理データチャンネルを通じて専用物理データチャンネル信号を伝送する方法において、
前記伝送データが存在しない場合、ダミービット生成要求信号を発生するステップと、
前記ダミービット生成要求信号を受信すると、ダミービット列を発生し、前記ダミービット列に対するＣＲＣビット列を追加して生成された第１ビット列と、前記専用物理データチャンネルとは異なる少なくとも１個以上の追加専用物理データチャンネルを通じて伝送される専用物理データチャンネル信号を行形態で順次に受信して行列を生成するステップと、
前記行列に対する列置換を遂行して前記ダミービット列に対応するビットを削除するようにインターリービングを遂行して専用物理チャンネル信号にマッピングするステップと
からなることを特徴とする方法。
【請求項３】
前記ダミービット列は、前記伝送データが存在する場合、前記専用物理データチャンネルを通じて伝送されるデータビット数と同一の大きさのビット数を有することを特徴とする請求項２記載の方法。
【請求項４】
前記ダミービット列は、ＣＤＭＡ移動通信システムにおいて予め設定されたビット数を有することを特徴とする請求項２記載の方法。
【請求項５】
ＣＤＭＡ移動通信システムで伝送データが存在しない後新たな伝送データが発生する場合、目標ＳＩＲの値を適切に保持するために、専用物理データチャンネルを通じて伝送される伝送データが存在しないとき、前記専用物理データチャンネルを通じて専用物理データチャンネル信号を伝送する装置において、
専用物理制御チャンネルのゲーティング伝送のとき、ゲーティングレートに従って専用物理データチャンネルを伝送して外部循環電力制御を遂行するためにダミービットの数を決定し、前記伝送データが存在しない場合、前記ダミービットの数に従ってダミービット生成要求信号を発生する制御器と、
前記ダミービット生成要求信号を受信すると、ダミービット列を生成するダミービット生成器と、
前記ダミービット列に対応ＣＲＣビット列を追加するＣＲＣ(Cyclic Redundancy Check)挿入部と、
前記ＣＲＣビット列及び前記ダミービット列を追加して生成された第１ビット列を前記専用物理データチャンネルにマッピングするチャンネル多重化部と
からなり、
前記チャンネル多重化部は、ＤＰＣＣＨゲーティングの時にも過度なＣＲＣ反復なしで第１ビット列を専用物理データチャンネルにマッピングすることを特徴とする装置。
【請求項６】
ＣＤＭＡ移動通信システムで専用物理データチャンネルを通じて伝送するデータが存在しない後、伝送するデータが発生する場合、目標ＳＩＲの値を適切に保持するために前記伝送するデータが存在しないとき、前記専用物理データチャンネルを通じて専用物理データチャンネル信号を伝送する装置において、
前記伝送データが存在しない場合ダミービット生成要求信号を発生する制御器と、
前記ダミービット生成要求信号を受信すると、ダミービット列を生成するダミービット生成器と、
前記ダミービット列に対応ＣＲＣビット列を追加するＣＲＣ挿入部と、
前記ＣＲＣビット列及び前記追加されたダミービット列によって生成された第１ビット列と他の専用物理データチャンネル信号とを行形態で順次に受信して行列を生成し、前記行列で列置換を遂行して前記ダミービット列に対応するビットを削除するようにインターリービングして専用物理データチャンネルにマッピングするチャンネル多重化部と
からなることを特徴とする装置。
【請求項７】
前記ダミービット列は、前記伝送データが存在する場合、前記専用物理データチャンネルを通じて伝送されるデータビット数と同一の大きさのビット数を有することを特徴とする請求項６記載の装置。
【請求項８】
前記ダミービット列は、ＣＤＭＡ移動通信システムにおいて予め設定されたビット数を有することを特徴とする請求項６記載の装置。
【発明の詳細な説明】
【０００１】
【発明の属する技術分野】
本発明は、符号分割多元接続移動通信システム(Code Division Multiple Access；ＣＤＭＡ)に関し、特に、目標信号対干渉比の値を適切に保持させて外部循環電力制御を遂行する専用物理チャンネル多重化装置及び方法に関する。
【０００２】
【従来の技術】
一般的に、ＣＤＭＡ移動通信システムであるＵＭＴＳ(Universal Mobile Terrestrial System)のチャンネル構造は、大別して物理チャンネル(Physical Channel)、伝送チャンネル(Transport Channel)、及び論理チャンネル(Logical Channel)に分類される。前記物理チャンネルは、データの伝送方向によってダウンリンク(Downlink)物理チャンネル及びアップリンク(Uplink)物理チャンネルに区分される。そして、前記ダウンリンク物理チャンネルは、ダウンリンク物理共通チャンネル(Physical Downlink Shared Channel；ＰＤＳＣＨ)及びダウンリンク専用物理チャンネル(Dedicated Physical Channel；ＤＰＣＨ)に区分され、図１を参照して説明する。
【０００３】
図１は、移動通信システムでのダウンリンク専用物理チャンネルの構造を示す。図１を参照すると、前記ダウンリンク専用物理チャンネルの各フレームは、１５個のスロットｓｌｏｔ＃０〜Ｓｌｏｔ＃１４で構成される。前記各スロットは、Ｎｏｄｅ ＢからＵＥ(User Equipment)へ伝送される上位階層のデータを伝送する専用物理データチャンネル(Dedicated Physical Data Channel；ＤＰＤＣＨ)と、物理階層(physical layer)制御信号を伝送する専用物理制御チャンネル(Dedicated Physical Control Channel；ＤＰＣＣＨ)とから構成される。前記専用物理制御チャンネルＤＰＣＣＨは、ＵＥの伝送電力を制御するための伝送電力制御(Transport Power Control；ＴＰＣ)シンボル、伝送フォーマット組合せ表示(Transport Format Combination Indicator；ＴＦＣＩ)シンボル、及びパイロットシンボルで構成される。図１に示すように、前記ダウンリンク専用物理チャンネルの１個のフレームを構成するスロットｓｌｏｔ＃０〜Ｓｌｏｔ＃１４のそれぞれは、２５６０チップで構成される。図１において、第１データシンボルＤａｔａ１及び第２データシンボルＤａｔａ２は、前記専用物理データチャンネルＤＰＤＣＨを通じて前記Ｎｏｄｅ Ｂから前記ＵＥへ伝送する上位階層のデータを示し、前記ＴＰＣシンボルは、前記Ｎｏｄｅ Ｂが前記ＵＥの伝送電力を制御するための情報を示す。そして、前記ＴＦＣＩシンボルは、現在１個のフレーム(=１０ｍｓ)の間伝送されたダウンリンクチャンネルに使用する伝送フォーマット組合せ(Transport Format Combination；ＴＦＣ)を示す。最後に、前記パイロットシンボルは、ＵＥが専用物理チャンネルの伝送電力を制御するための基準を示す。ここで、前記ＴＦＣＩに含まれている情報は、ダイナミックパート(Dynamic part)とセミスタティックパート(semi-static part)とに分類されることができる。前記ダイナミックパートは、伝送ブロックサイズ(Transport Block Size；ＴＢＳ)情報と伝送ブロックセットサイズ(Transport Block Set Size；ＴＢＳＳ)情報とを含む。前記セミスタティックパートは、伝送時間間隔(Transmission Time Interval；ＴＴＩ)、チャンネルコーディング方法(channel coding scheme)、コーディングレート(coding rate)、スタティックレートマッチング(static rate matching)、及びＣＲＣ(Check Redundancy Check)サイズなどの情報を含む。従って、前記ＴＦＣＩは、１個のフレームの間伝送されるチャンネルの伝送ブロック(Transport Block；ＴＢ)の数を示し、前記各伝送ブロックで使用したＴＰＣに固有の番号を割り当てる。
【０００４】
図２は、移動通信システムでのアップリンク専用物理チャンネルの構造を示す。図２を参照すると、前記ダウンリンク専用物理チャンネルと同様に、前記アップリンク専用物理チャンネルは、１５個のスロットｓｌｏｔ＃０〜Ｓｌｏｔ＃１４で構成される。前記アップリンク専用物理チャンネルは、アップリンク専用物理データチャンネル(ＤＰＤＣＨ)及びアップリンク専用物理制御チャンネル(ＤＰＣＣＨ)を有する。前記アップリンク専用物理データチャンネルＤＰＤＣＨの１個のフレームを構成するスロットｓｌｏｔ＃０〜Ｓｌｏｔ＃１４のそれぞれは、前記ＵＥから前記Ｎｏｄｅ Ｂへ上位階層のデータを伝送する。
【０００５】
一方、前記アップリンク専用物理制御チャンネルの１個のフレームを構成するスロットｓｌｏｔ＃０〜Ｓｌｏｔ＃１４のそれぞれは、ＵＥからＮｏｄｅ Ｂへ伝送するデータを復調するときチャンネル推定信号(channel estimation signal)として利用するパイロットシンボルと、現在のフレームの間伝送されるチャンネルの伝送フォーマット組合せ(ＴＦＣ)を示すＴＦＣＩシンボルと、伝送ダイバーシティ(transmission diversity)が使用されるときフィードバック情報(feedback information；ＦＢＩ)を伝送するためのＦＢＩシンボルと、ダウンリンクチャンネルの伝送電力を制御するためのＴＰＣシンボルとから構成される。
【０００６】
図１及び図２に示したダウンリンク／アップリンク専用物理チャンネルの伝送電力は、閉循環電力制御(Closed Loop Power Control)方法または外部循環電力制御(Outer Loop Power Control)方法のような高速電力制御(high-speed power control)方法によって制御される。ここで、前記外部循環電力制御について説明する。
【０００７】
前記外部循環電力制御方法は、ダウンリンクチャンネル及びアップリンクチャンネルのすべての場合、高速電力制御方法で要求する目標(target)ＳＩＲを実際のチャンネル上のＳＩＲと比較し、前記目標ＳＩＲと実際のＳＩＲとの比較結果に基づいて閉循環電力制御のしきい値を再設定して伝送電力を制御する。一般的に、電力制御方法では、通信上で要求される性能を満足させるために、ビットエラーレート(Bit Error Rate；ＢＥＲ)またはブロックエラーレート(Block Error Rate；ＢＬＥＲ)を一定に保持させることが重要である。前記外部循環電力制御方法は、前記ＢＥＲまたは前記ＢＬＥＲを一定に保持するためのしきい値を持続的に再設定して前記ＢＥＲまたは前記ＢＬＥＲを要求されたレベルで保持させる役割をする。そして、前記ＵＥ及び前記Ｎｏｄｅ Ｂは、受信した専用物理データチャンネルに含まれているＣＲＣビットを分析してＣＲＣのエラー検出を通じて前記ＢＥＲまたは前記ＢＬＥＲを測定することができる。
【０００８】
図５は、移動通信システムでのダウンリンク物理共通チャンネル(ＰＤＳＣＨ)の構造を示す。図５を参照すると、前記ダウンリンク物理共通チャンネルの１０ｍｓのフレームは、１５個のスロットｓｌｏｔ＃０〜Ｓｌｏｔ＃１４で構成される。このとき、ＵＭＴＳシステムは、チップレート(chip rate)が３．８４Ｍｃｐｓであるので、前記スロットのそれぞれは２５６０チップで構成される。
【０００９】
前記ダウンリンク物理共通チャンネルは、電力制御及び伝送フォーマット組合せ指定のために、前記専用物理チャンネルに連動してＮｏｄｅ ＢからＵＥへ上位階層のデータを伝送する。前記ダウンリンク物理共通チャンネルは、多数のＵＥによって時分割で共用されて大量のパケットデータをＵＥへ効率的に伝送する。このとき、ＵＥが前記ダウンリンク物理共通チャンネルを使用するために、ＵＥとＮｏｄｅ Ｂとの間に別途の専用物理チャンネル(すなわち、前記ダウンリンク物理共通チャンネルと連動される(interlocked)ダウンリンク専用物理チャンネル及びアップリンク専用物理チャンネル)が保持されなければならない。従って、前記ＵＥが前記ダウンリンク物理共通チャンネルを使用するためには、ダウンリンク及びアップリンク専用物理チャンネルを個別的に設定しなければならない。例えば、Ｎ個のＵＥが前記ダウンリンク物理共通チャンネルを使用する場合、Ｎ個のダウンリンク及びＮ個のアップリンク専用物理チャンネル(すなわち、各ＵＥ別に１個の専用チャンネル)が設定されてＮ個のＵＥが前記ダウンリンク物理共通チャンネルを時分割で共用する。一方、前記ダウンリンク物理共通チャンネルは、大量のパケットデータを伝送するように物理的に設定されたチャンネルであり、前記専用物理チャンネルは、前記ダウンリンク物理共通チャンネルと比較して相対的に少量の制御データ及び再伝送関連データを伝送するように物理的に設定される。これをより具体的に説明すれば次のようである。
【００１０】
前記ダウンリンク専用物理チャンネルを通じて伝送されるＴＦＣＩビットＴＦＣＩDPCHは、前記ダウンリンク物理共通チャンネルの伝送フォーマットを示す情報を有する。従って、前記ダウンリンクＴＦＣＩは、与えられた時点から所定の時間が経過した後、前記ダウンリンク物理共通チャンネルを通じて伝送されたパケットデータがどんなＵＥへ伝送されるかを示す。前記ＵＥは、ダウンリンク専用物理チャンネルを継続して受信して分析することにより、ＵＥの自分が受信するダウンリンク物理共通チャンネルデータがあるか否かを認識することができる。従って、ＵＥが受信したＴＦＣＩが次のフレームのダウンリンク物理共通チャンネル上に自分が受信するデータが存在することを示す場合、前記ＵＥは、次のフレームでダウンリンク物理共通チャンネルを通じて受信した信号の復調及び復号を遂行してＮｏｄｅ Ｂが伝送したデータを受信する。前記のように、専用物理チャンネルを通じてデータ伝送が行われる間、外部循環電力制御を利用して伝送電力が制御され、これを一般伝送(normal transmission)及びゲーティング伝送(gating transmission)に分けて説明する。
【００１１】
まず、一般伝送、すなわち、一般データ伝送のときアップリンクまたはダウンリンクチャンネルが伝送チャンネルデータを有していない間、外部循環電力制御のために専用物理チャンネルを通じてＣＲＣビットを伝送する。しかし、前記伝送チャンネルデータが存在しない場合、前記ＣＲＣビットのみを伝送するか、または前記ＣＲＣを反復(repetition)伝送して外部循環電力制御を遂行するようになると、受信器では、コンバイニング(combining)による利得が発生して目標ＳＩＲ値が小さくなる。従って、伝送チャンネルデータがさらに発生する場合、前記伝送チャンネルデータが存在しない間、ＣＲＣビットのみを伝送してすでに目標ＳＩＲ値が小さくなるので、前記目標ＳＩＲ値を回復するまでは、前記ＢＬＥＲ値が大きくなる問題点が発生する。
【００１２】
また、前記外部循環電力制御がゲーティング伝送に適用される場合でも、ダウンリンク共通チャンネル(Downlink Shared Channel；ＤＳＣＨ)に専用チャンネル(Dedicated Channel；ＤＣＨ)が連動されるデータ通信のとき専用物理制御チャンネルのゲーティングを使用する間、外部循環電力制御を遂行するためには、ＣＲＣエラー検出を通じて前記ＢＥＲまたはＢＬＥＲを測定する必要がある。以下、このようなゲーティングをより具体的に説明する。
【００１３】
このとき、前記ダウンリンク共通チャンネル及び専用チャンネルが設定されている状態を“ＤＳＣＨ／ＤＣＨ状態”であると定義する。前記ＤＳＣＨ／ＤＣＨ状態で、データ通信を行うＵＥは、待機時間の間、電力制御を通じて適切なチャンネル状態を保持するために、前記ダウンリンク共通チャンネルと連動されるダウンリンク専用チャンネル信号及びアップリンク専用チャンネル信号の送受信を行わなければならない。このようにチャンネルを保持するために、ダウンリンク及びアップリンク専用チャンネル信号を継続して送受信することは、ＵＥのバッテリ消耗を引き起こし、だけではなく、ダウンリンク及びアップリンクの干渉が増加して前記ダウンリンク共通チャンネルを共有することができるＵＥの数を制限するようになる。
【００１４】
このような問題を解決するために、ＵＭＴＳのチャンネル構造は、専用物理データチャンネルが情報データ(ＣＲＣビット及びテールビットを含み)を有していない状態で、専用物理制御チャンネルを通じて毎１０ｍｓフレームの間伝送されるスロット信号(１５スロット／フレーム)の数を選択的に減少させて効率的な無線チャンネル管理のためのＤＰＣＣＨゲーティングを遂行する。すなわち、前記専用物理制御チャンネルがゲーティングされる場合は、専用物理データチャンネルを通じて伝送される使用者データがない状態であるので、前記使用者データの長さは、ゼロ(０)になる。前記ＤＰＣＣＨ(Dedicated Physical Control Channel)ゲーティング動作の開始及び終了は、上位階層、すなわち、第３階層(Layer 3)から制御メッセージを通じて遂行されることができ、または、ＴＦＣＩビットを利用することもできる。その結果、前記ＤＰＣＣＨゲーティング動作によって物理チャンネルを通じて使用者データが伝送されない区間の間、専用物理チャンネルを保持するのに必要な無線チャンネル資源の量を減少させることにより、無線資源の効率的な活用性を増加させ、またＵＥによるバッテリ消耗を減少させることができる。
【００１５】
前記ＤＰＣＣＨのゲーティングモードにおいて、使用者データ(ＣＲＣビット及びテールビットを含み)がない状態であるので、前記専用物理データチャンネルを通じたデータ伝送が一時中断される。従って、前記ダウンリンクまたはアップリンク専用物理データチャンネルを多重化する過程が不要になる。しかし、前記ＤＰＣＣＨのゲーティングを遂行する途中にも、外部循環電力制御を遂行するためには、ＣＲＣエラー検出を通じて前記ＢＥＲまたはＢＬＥＲを測定する必要がある。従って、前記ＤＰＣＣＨのゲーティングのとき伝送する使用者データがないとしても、前記ＣＲＣを含む専用物理データチャンネルが伝送されなければならない。
【００１６】
前述したように、前記ゲーティング伝送モードで、前記ＣＲＣのみが前記専用物理データチャンネルを通じて反復して伝送されることにより、受信器でコンバイニングが発生して目標ＳＩＲ値を減少させる。その結果、前記ＤＰＣＣＨのゲーティングが終了された後、伝送チャンネルデータを伝送する場合、前記ＤＰＣＣＨのゲーティングによって目標ＳＩＲ値が減少するので、前記目標ＳＩＲ値を回復するまでは前記ＢＬＥＲ値が大きくなる。これにより、信頼性のある外部循環電力制御を保証することができない問題点が発生する。
【００１７】
具体的に、ＤＰＣＨ(Dedicated Physical Channel)多重化方法は、３ＧＰＰ(3rd Generation Partnership Project)標準案(３ＧＰＰ ＴＳ２５.２１２ Ｖ３.４.０．：マルチプレキシング及びチャンネルコーディング)に定義されている＜数式１＞を利用してレートマッチング(Rate Matching)を遂行する。
【数１】
0004173665.tif 000002
【００１８】
前記＜数式１＞で、Ｎi,jは、アップリンクの場合、レートマッチング方法の以前に伝送フォーマット組合せ(ＴＦＣ)ｊのｉ番目の伝送チャンネルの１個の無線フレーム(radio frame)に含まれたビット数を示し、ダウンリンクの場合は、レートマッチング過程で使用した中間変数として１／８の倍数を示す。そして、Ｎdata,jは、伝送フォーマット組合せｊの１個の無線フレームに含まれたＣＣＴｒＣＨ(Coded Composite Transport Channel)に入る総ビット数を示し、ＲＭiは、ｉ番目伝送チャンネルのレートマッチング常数を示し、Ｚi,jは、レートマッチング中間変数を示す。また、アップリンクの場合、ΔＮi,jは、レートマッチングで最終目標値を示す。前記ΔＮi,jが正数である場合、前記伝送フォーマット組合せｊのｉ番目伝送チャンネルの１個の無線フレーム内で反復されるビット数を示し、前記ΔＮi,jが負数である場合、穿孔(puncturing)されるビット数を示す。しかし、ダウンリンクの場合、前記ΔＮi,jは中間変数として使用され、その値は、１／８の倍数であり、ｌは、ＣＣＴｒＣＨに含まれている伝送チャンネルの数を示す。
【００１９】
アップリンクチャンネルでは、伝送データが無線フレーム単位で分割された後レートマッチングが行われるので、前記ΔＮi,jは、Ｎi,j及びＮdata,jを利用して前記＜数式１＞によって無線フレームの反復または穿孔されるビットの数ΔＮi,jを計算し、３ＧＰＰ ＴＳ２５.２１２.に開示された過程でレートマッチングが遂行される。
【００２０】
しかし、ダウンリンクチャンネルで、伝送データが無線フレーム単位で分割される前、ＴＴＩ単位でレートマッチングが遂行されるので、アップリンクチャンネルとは異なり、レートマッチングは、Ｎi,lTTIに基づいて行われ、このような方法は、３ＧＰＰ ＴＳ２５.２１２.に開示されている。前記Ｎi,lTTIは、ダウンリンクでのみ使用される変数であり、レートマッチングの以前にｉ番目の伝送チャンネルで伝送フォーマットｌの場合１個のＴＴＩに含まれたビット数を示す。ダウンリンクチャンネルの場合、無線フレーム内で伝送チャンネルの位置は、伝送フォーマット組合せに関係なく固定されるか、または伝送フォーマット組合せによって可変されることができる。＜数式１＞で使用した中間変数Ｎi,j及びΔＮi,jの計算方法が異なり、状況によって、レートマッチング過程も異なる。ダウンリンクチャンネルの場合、Ｎdata,jはｊによって変わらないので、前記＜数式１＞で、Ｎdata,*に置き換えられる。
【００２１】
前記ダウンリンクチャンネルで、伝送チャンネルが固定された位置を有する場合、Ｎi,jはｊによって変わらない。従って、Ｎi,jはＮi,*に置き換えられる。Ｎi,*が下記＜数式２＞によって計算された後、ΔＮi,*は、Ｎi,*及びＮdata,*の値を利用して前記＜数式１＞によって計算される。前記計算されたΔＮi,*から、３ＧＰＰ ＴＳ２５.２１２.に定義された過程によって伝送フォーマットｌを有する伝送チャンネルｉのＴＴＩ単位でレートマッチングの目標値ΔＮi,lTTIを計算する。前記ΔＮi,lTTIが正数であれば、伝送フォーマット１を有する伝送チャンネルｉの各ＴＴＩで反復されるビット数を示す。しかし、前記ΔＮi,lTTIが負数であれば、穿孔されたビット数を示す。
【数２】
0004173665.tif 000003
【００２２】
前記＜数式２＞で、Ｆiは、伝送チャンネルｉの１個のＴＴＩ内に含まれた無線フレームの数を示し、ＴＦＳ(ｉ)は、伝送チャンネルｉのための伝送フォーマットインデックスｌの集合を示す。
【００２３】
前記ダウンリンクチャンネルで、前記伝送チャンネルが伝送フォーマット組合せによって可変位置を有する場合、Ｎi,jを下記＜数式３＞のように計算した後、Ｎi,j及びＮdata,*を利用して前記＜数式１＞によってΔＮi,jを計算する。前記計算されたΔＮi,j及び３ＧＰＰ ＴＳ２５.２１２.に定義された過程に基づいて、伝送フォーマットｌを有する伝送チャンネルｉの各ＴＴＩ単位でレートマッチングの目標値ΔＮi,lTTIを計算する。
【数３】
0004173665.tif 000004
【００２４】
前記＜数式３＞で、ＴＦi(ｊ)は、伝送フォーマット組合せｊに対して伝送チャンネルｉの伝送フォーマットを示す。
【００２５】
従って、使用者データがない状態で、外部循環電力制御のために前記ＢＥＲまたはＢＬＥＲの測定に必要なＣＲＣ及び／またはテールビットのみを伝送してチャンネルコーディングを遂行すると、前記＜数式１＞乃至＜数式３＞及び３ＧＰＰ ＴＳ２５.２１２で定義された過程によってレートマッチングが遂行され、これにより、チャンネルコーディング後のレートマッチングで反復されるビット数が伝送チャンネルデータ及びＣＲＣを共に伝送する場合に比べて多くなる。従って、前記ＤＰＣＣＨゲーティングを終了した後、正常的に使用者データが専用物理データチャンネルを通じて伝送されると、前記ＣＲＣのみを伝送して遂行した外部循環電力制御によって前記目標ＳＩＲ値が相対的に低く設定される。そこで、初期の電力制御段階で高速の電力制御を効率的に遂行することができない。このような問題は、ゲーティングが適用されるか否かに関係なく、ＣＲＣのみを伝送して外部循環電力制御を遂行する場合、共通的に発生する。
【００２６】
【発明が解決しようとする課題】
従って、本発明の目的は、ＣＤＭＡ通信システムで、信頼性ある外部循環電力制御を遂行できるように専用物理チャンネルを多重化する装置及び方法を提供することにある。
【００２７】
本発明の他の目的は、ＣＤＭＡ通信システムで、専用物理制御チャンネルのゲーティング伝送のとき、ゲーティングレート(gating rate)による専用物理データチャンネルを伝送して正確な外部循環電力制御を遂行できるように専用物理チャンネルを多重化する装置及び方法を提供することにある。
【００２８】
本発明のまた他の目的は、ＣＤＭＡ通信システムで、ゲーティング伝送モードでＳＩＲを正確に測定して外部循環電力制御(ＯＬＰＣ)を遂行するためのＤＰＣＨ多重化装置及び方法を提供することにある。
【００２９】
本発明のさらに他の目的は、ＣＤＭＡ通信システムで、ダミービットをＣＲＣビットと共に専用物理チャンネルを通じて伝送して外部循環電力制御を遂行するためのＤＰＣＨ多重化装置及び方法を提供することにある。
【００３０】
本発明のなお他の目的は、ＣＤＭＡ通信システムで、ゲーティング伝送モードでゲーティングレートによって決定された適正な数のダミービットをＣＲＣビットと共に伝送して外部循環電力制御を遂行するためのＤＰＣＨ多重化装置及び方法を提供することにある。
【００３１】
【課題を解決するための手段】
前記のような目的を達成するために、本発明は、ＣＤＭＡ移動通信システムで伝送データが存在しない後新たな伝送データが発生する場合、目標ＳＩＲの値を適切に保持するために、専用物理データチャンネルを通じて伝送される伝送データが存在しないとき、前記専用物理データチャンネルを通じて専用物理データチャンネル信号を伝送する装置において、前記伝送データが存在しない場合ダミービット生成要求信号を発生する制御器と、前記ダミービット生成要求信号を受信すると、ダミービット列を生成するダミービット生成器と、前記ダミービット列に対応ＣＲＣビット列を追加するＣＲＣ挿入部と、前記ＣＲＣビット列及び前記ダミービット列を追加して生成された第１ビット列を前記専用物理データチャンネルにマッピングするチャンネル多重化部とからなることを特徴とする。
【００３２】
また、本発明は、ＣＤＭＡ移動通信システムで、伝送データが存在しない後新たな伝送データが発生する場合、目標ＳＩＲの値を適切に保持するために、専用物理データチャンネルを通じて伝送される伝送データが存在しないとき、前記専用物理データチャンネルを通じて専用物理データチャンネル信号を伝送する方法において、前記伝送データが存在しない場合、ダミービット生成要求信号を発生するステップと、前記ダミービット生成要求信号を受信すると、ダミービット列を発生し、前記ダミービット列にＣＲＣビット列を追加して生成された前記専用物理データチャンネル信号を伝送するステップとからなることを特徴とする。
【００３３】
【発明の実施の形態】
以下、本発明に従う好適な実施形態について添付図を参照しつつ詳細に説明する。下記の説明において、本発明の要旨のみを明確にする目的で、関連した公知機能または構成に関する具体的な説明は省略する。
【００３４】
図３は、ＣＤＭＡ通信システムでアップリンク伝送チャンネルを多重化する構造を示す。図３を参照すると、参照番号３０１は、１つのアップリンク伝送チャンネル生成ブロックを示す。説明の便宜上、前記アップリンク伝送チャンネル生成ブロック３０１は、“アップリンク伝送チャンネルチェーン(uplink transport channel chain)”と称される。そして、参照番号３０２は、他のアップリンク伝送チャンネル生成ブロックを示す。まず、前記アップリンク伝送チャンネルチェーン３０１に入力された伝送データは、ＣＲＣ挿入部３０３へ入力される。前記ＣＲＣ挿入部３０３は、ＢＬＥＲ確認のためのＣＲＣビットを前記伝送データに追加してＴｒＢｋ連結(Transport Block concatenation)／コードブロックセグメンテーション部(code block segmentation part)３０４へ提供する。前記ＴｒＢｋ連結／コードブロックセグメンテーション部３０４は、前記ＣＲＣビットが追加された伝送データをチャンネルコーディングに適切なコードブロックサイズで連結または分割してチャンネルコーディング部３０５へ出力する。前記チャンネルコーディング部３０５は、前記ＴｒＢｋ連結／コードブロックセグメンテーション部３０４から出力した信号をチャンネルエラーに強い性質を有するようにチャンネルコーディングし、ビット列の形態で無線フレーム均等部(Radio Frame Equalization part)３０６へ出力する。前記無線フレーム均等部３０６は、前記チャンネルコーディング部３０５から出力したビット列を１０ｍｓの無線フレーム単位で均等にして第１インターリーバ(またはプライマリインターリーバ)３０７へ出力する。前記第１インターリーバ３０７は、前記無線フレーム均等部３０６から出力した信号を所定のインターリービング規則によってインターリービングを遂行した後、無線フレームセグメンテーション部３０８へ出力する。ここで、前記インターリービングは、１０ｍｓ、２０ｍｓ、４０ｍｓ、及び８０ｍｓの単位で遂行されることができ、インターリービング単位は、伝送時間間隔(Transmission Time Interval；ＴＴＩ)になる。前記ＴＴＩが１０ｍｓ以上の値を有する場合、前記第１インターリーバ３０７の出力は、さらに無線フレームセグメンテーション部３０８で１０ｍｓに合うように分割された後、レートマッチング部３０９へ出力される。前記レートマッチング部３０９は、前記無線フレームセグメンテーション部３０８から出力した信号の穿孔または反復を通じて１個の無線フレームサイズに一致するビット列を生成した後、１つの伝送チャンネル(ＴｒｃＨ)を出力する。従って、各レートマッチング部３０９及び３１０の出力で２個のアップリンク伝送チャンネルが生成される。もちろん、前記のようなアップリンク伝送チャンネルチェーンが多数生成されると、さらに多い伝送チャンネルが生成されることができる。前記生成された多数の伝送チャンネルＴｒＣＨは、ＴｒＣＨ多重化部(Multiplexing Part)３１１へ入力される。前記ＴｒＣＨ多重化部３１１は、前記多数の伝送チャンネルを１個の符号化された合成伝送チャンネルＣＣＴｒＣＨで多重化して物理チャンネルセグメンテーション部３１２へ出力する。前記物理チャンネルセグメンテーション部３１２は、前記ＴｒＣＨ多重化部３１１から出力したＣＣＴｒＣＨを物理チャンネル(physical channel)にマッピングすることができるように１０ｍｓサイズで分割した後、第２インターリーバ３１３へ出力する。前記第２インターリーバ３１３は、前記物理チャンネルセグメンテーション部３１２から出力した信号を所定のインターリービング規則によってインターリービングを遂行した後、物理チャンネルマッピング部(physical channel mapping)３１４へ出力する。ここで、前記第２インターリーバ３１３のインターリービング単位は、１個の無線フレームのサイズと同一の１０ｍｓになる。最後に、前記物理チャンネルセグメンテーション部３１２及び前記第２インターリーバ３１３で分割されてインターリービングされたデータは、物理チャンネルマッピング部３１４で第１物理チャンネルＰｈＣＨ＃１ ３１６及び第２物理チャンネルＰｈＣＨ２ ３１７にマッピングされる。
【００３５】
図４は、ＣＤＭＡ移動通信システムでダウンリンク伝送チャンネルの多重化を概略的に示す。前記ダウンリンクチャンネル多重化過程は、アップリンクチャンネル多重化過程と類似しているが、図４に示すように、レートマッチング部４０６がチャンネルコーディング部４０の次段に位置することが相異である。前記ダウンリンク伝送チャンネル多重化構造は、第１不連続伝送(Discontinuous Transmission；ＤＴＸ)指示者挿入部４０７または／及び第２不連続伝送指示者挿入部４１２をさらに含む。また、参照番号４０１は、１つのダウンリンク伝送チャンネル生成ブロックを示す。ここで、説明の便宜上、前記ダウンリンク伝送チャンネル生成ブロック４０１を“ダウンリンク伝送チャンネルチェーン”と称し、参照番号４０２は、他のダウンリンク伝送チャンネルチェーンを示す。以下、前記ダウンリンク伝送チャンネルチェーンについて具体的に説明する。
【００３６】
まず、前記ダウンリンク伝送チャンネルチェーン４０１に入力されたダウンリンク伝送データは、ＣＲＣ挿入部４０３へ出力される。前記ＣＲＣ挿入部４０３は、前記伝送データにＢＬＥＲ確認のためのＣＲＣビットを追加してＴｒＢｋ連結／コードブロックセグメンテーション部４０４へ出力する。前記ＴｒＢｋ連結／コードブロックセグメンテーション部４０４は、前記ＣＲＣ挿入部４０３から出力した信号をチャンネルコーディングに適切なコードブロックサイズで連結または分割した後、チャンネルコーディング部４０５へ出力する。前記チャンネルコーディング部４０５は、前記ＴｒＢｋ連結／コードブロックセグメンテーション部４０４から出力した信号をチャンネル誤りに強い性質を有するようにチャンネルコーディングを遂行した後、レートマッチング部４０６へ出力する。前記レートマッチング部４０６は、前記チャンネルコーディング部４０５から出力した信号のレートマッチングを遂行した後、第１ＤＴＸ指示者挿入部４０７へ出力する。前記第１ＤＴＸ指示者挿入部４０７は、どんな部分にデータを伝送しないことであるかを指示するＤＴＸ指示者を前記レートマッチング部４０６から出力した信号に挿入した後、第１インターリーバ４０８へ出力する。前記第１インターリーバ４０８は、所定のインターリービング規則によって第１ＤＴＸ指示者挿入部４０７から出力した信号のインターリービングを行った後、無線フレームセグメンテーション部４０９へ出力する。ここで、前記インターリービングは、１０ｍｓ、２０ｍｓ、４０ｍｓ、８０ｍｓの単位で遂行されることができ、前記インターリービングの単位は、ＴＴＩである。前記ＴＴＩが１０ｍｓ以外の値を有する場合、前記第１インターリーバ４０８の出力は、前記無線フレームセグメンテーション部４０９によって１０ｍｓに適するようにさらに分割される。最終的に、前記無線フレームセグメンテーション部４０９の出力として１つの伝送チャネルが生成される。同様に、ダウンリンク伝送チャネルチェーン４０２も他の伝送チャネルを生成する。勿論、ダウンリンク伝送チャネルチェーンの数が増加すると、生成される伝送チャネルの数も増加する。前記生成された伝送チャネルＴｒＣＨは、ＴｒＣＨ多重化部４１１に入力される。前記ＴｒＣＨ多重化部４１１は、前記複数の伝送チャネルを多重化して、第２ＤＴＸ指示者挿入部４１２に出力する。前記第２ＤＴＸ指示者挿入部４１２は、前記ＴｒＣＨ多重化部４１１から出力された信号に第２ＤＴＸ指示者を挿入し、前記第２ＤＴＸ指示者が挿入された信号を物理チャネルセグメンテーション部４１３に出力する。ここで、前記第２ＤＴＸ指示者を挿入することによって、図４に示したように１つのＣＣＴｒＣＨが生成される。前記生成されたＣＣＴｒＣＨは、前記物理チャネルセグメンテーション部４１３によって複数の１０ｍｓの物理チャネルにマッピングできるように分割されて、第２インターリーバ４１４に入力される。前記第２インターリーバ４１４は、前記物理チャネルセグメンテーション部４１３から出力された前記信号を予め設定されたインターリービング方式によってインターリービングした後、物理チャネルマッピング部４１５に出力する。ここで、前記第２インターリービング部４１５のインターリービング単位は、１つの無線フレームのサイズと同一の１０ｍｓである。最終的に、前記物理チャネルセグメンテーション部４１３及び前記第２インターリーバ４１４によって分割及びインターリービングされたデータは、物理チャネルマッピング部４１５によって第１物理チャネルＰｈＣＨ＃１(４１６)及び第２物理チャネルＰｈＣＨ＃２(４１７)にマッピングされ、それによって、ダウンリンク伝送チャネル多重化の過程が終了する。
【００３７】
図３及び図４のアップリンク及びダウンリンク伝送チャネル多重化の過程は、送信器によって遂行される。前記アップリンク及びダウンリンク受信器は、前記送信器の対称的な構成であるので、その説明は省略する。例えば、前記受信器は、前記送信器のチャネルコーディング部、インターリーバ、多重化部、及びＤＴＸ指示者挿入部の代わりに、それぞれチャネルデコーディング部(channel decoding part)、デインターリーバ(deinterleaving part)、逆多重化部(demultiplexing part)、及びＤＴＸ指示者抽出部(removal of ＤＴＸ indication part)を有する。
【００３８】
本発明は、外部循環電力制御において、ＤＰＣＣＨゲーティング(gating)の時にＣＲＣビットまたはテールビット(tail bit)のみを繰り返して伝送する場合、目標信号対干渉比(Signal-to-Interference Ratio: ＳＩＲ)が一般のデータ伝送に比べて低い値に設定される問題点を解決するために、＜数式１＞がＤＰＣＣＨゲーティングの時に使用されるように、前記アップリンクＴｒＣＨ多重化部３１１に＜数式４＞を定義する。
【数４】
0004173665.tif 000005
【００３９】
つまり、前記目標ＳＩＲを前記ＤＰＣＣＨゲーティング動作に関係なく維持することによって前記外部循環電力制御を効率的に遂行するためには、＜数式４＞を満足すべきである。
【００４０】
＜数式４＞を満足しながら、ゲーティングに効果的なレートマッチング方法を提供するために、＜数式１＞における変数Ｎi,j及びＮdata,jを新しく定義し、前記アップリンクＤＰＣＣＨゲーティングで使用できるレートマッチング式を＜数式５＞として表現する。
【数５】
0004173665.tif 000006
【００４１】
＜数式５＞において、
【数６】
0004173665.tif 000007
は、前記ゲーティングの時、レートマッチングの以前に伝送フォーマット組合せ(transport format combination)ｊのｉ番目の伝送チャネルにおいて１つの無線フレームに含まれたビットの数である。前記
【数７】
0004173665.tif 000008
は、前記ゲーティング動作の以前に伝送されるシンボルまたはビットの伝送電力レベルと、前記ゲーティングの時に前記外部循環電力制御のために伝送されるＣＲＣビットまたは他のビットの伝送電力レベルを、同一にまたは類似に維持させるために設定される１つの無線フレームに含まれるビットの数である。前記ゲーティングの以前に伝送されるシンボルまたはビットの伝送電力レベルと、前記ゲーティングの時に前記外部循環電力制御のために伝送されるＣＲＣビットまたは残りのビットの伝送電力レベルを、同一にまたは類似に維持させる理由は、前記ゲーティングの時に伝送される前記ＣＲＣビットまたは前記残りのビットが
【数８】
0004173665.tif 000009
の設定なしで伝送されると、実際伝送において過度に反復されて伝送される可能性があるからである。前記過度な反復伝送は、前記受信器にコンバイニング効果(combining effect)を生じさせ、その結果、前記ゲーティングの間に実際伝送において前記目標ＳＩＲが減少される。従って、前記ゲーティングを終了した後、前記ＤＰＣＣＨを通して正常的なデータ伝送をする時、前記外部循環電力制御において初期区間の間に前記目標ＳＩＲの減少による電力制御エラーが発生する可能性がある。前記
【数９】
0004173665.tif 000010
を設定する方法において、ゲーティングレート(gating rate)が１／ｎである場合、
【数１０】
0004173665.tif 000011
に設定することができ、前記
【数１１】
0004173665.tif 000012
を満足させる他の方法によって設定することもできる。前記２番目の数式である
【数１２】
0004173665.tif 000013
は、前記チャネルコーディングの以前に設定されるＣＲＣビットまたは残りのビットの値が常に整数であるという利点がある。従って、前記
【数１３】
0004173665.tif 000014
を新しく定義することによって伝送するデータは存在しないが、ダミービットをデータビットとして使用して専用物理データチャネルを生成する。
【００４２】
さらに、前記
【数１４】
0004173665.tif 000015
は、ゲーティングの時に、前記伝送フォーマット組合せｊの１つの無線フレームに含まれたＣＣＴｒＣＨに充填されるビットの総数である。前記ゲーティングレートが１／ｎである場合、
【数１５】
0004173665.tif 000016
になる。さらに、＜数式５＞において、ＲＭiは、ｉ番目の伝送チャネルのレートマッチング常数であり、
【数１６】
0004173665.tif 000017
は、レートマッチング中間変数であり、
【数１７】
0004173665.tif 000018
は、前記ゲーティングのために使用されるレートマッチングにおける最終の目標値である。前記最終の目標値が正の数である場合は、前記伝送フォーマット組合せｊのｉ番目の伝送チャネルの１つの無線フレーム内で反復されるビットの数を示し、前記最終の目標値が負の数である場合は、前記無線フレーム内で穿孔(puncturing)されるビットの数を示す。さらに、Ｉは、前記ＣＣＴｒＣＨに含まれる伝送チャネルの個数を示す。
【００４３】
一方、＜数式５＞において、既存の方法は、前記２つの変数
【数１８】
0004173665.tif 000019
を前記ゲーティングレートで割る。つまり、前記ゲーティングレートが１／ｎである場合、
【数１９】
0004173665.tif 000020
になり、従って、
【数２０】
0004173665.tif 000021
が成立する。同様に、
【数２１】
0004173665.tif 000022
になる。従って、＜数式１＞及び＜数式５＞からの結果によって、
【数２２】
0004173665.tif 000023
になるので、＜数式４＞の条件を満足させる。つまり、前記ＤＰＣＣＨゲーティングの使用に関係なく、前記目標ＳＩＲの変化はほとんど無視することができる。
【００４４】
次に、本発明の第１乃至第４実施形態において、前記ＤＰＣＣＨゲーティングの時に前記
【数２３】
0004173665.tif 000024
の値を新しく定義して実際伝送するデータは存在しないが、
【数２４】
0004173665.tif 000025
長さをマッチングするためのダミービットをデータとして使用して専用物理データチャネル(Dedicated Physical Data Channel:ＤＰＤＣＨ)を生成する。従って、前記ＤＰＣＣＨゲーティングの時にもダミービットをデータビットのように伝送することによって、前記ＣＲＣビットが添加されたＤＰＤＣＨを過度なＣＲＣ反復なしで送信することが可能になる。その結果、適した目標ＳＩＲを維持することができ、効果的な外部循環電力制御が可能になる。
【００４５】
まず、図６乃至図８を参照して、本発明の第１及び第２実施形態による前記アップリンクＤＰＣＣＨゲーティングの時に使用される伝送チャネル多重化方法を説明する。特に、本発明の第１実施形態においては、前記専用制御チャネルのゲーティングレートが１／３であると仮定して説明する。
【００４６】
図６は、Ｗ−ＣＤＭＡ通信システムにおいて使用される１２.２ｋｂｐｓの性能を有するアップリンクチャネルをチャネルコーディングする過程を示し、図７は、ＤＰＣＣＨの１／３ゲーティングによる変形された図６のアップリンクチャネルを示し、図８は、ＤＰＣＣＨの１／５ゲーティングによる変更された図６のアップリンクチャネルを示す。
【００４７】
まず、図６を参照して、前記アップリンクチャネル、つまり、２つの論理チャネル(ＤＴＣＨ及びＤＣＣＨ)のうち専用トラヒックチャネル(Dedicated Traffic Channel: 以下、ＤＴＣＨと称する)をチャネルコーディングする過程を説明する。図６の説明において、説明の便宜のため、前記ＤＴＣＨをチャネルコーディングする段階をブロック(block)の形態で表現して説明し、各ブロックにおける数字は、前記ブロックで処理されるビットの数を示す。図６を参照すると、ブロック６０１で２４４ビットの情報データが受信され、ブロック６０３で１６ビットのＣＲＣが前記情報データに添加され、ブロック６０５で前記ＣＲＣが添加された情報データに８ビットのテールビット(tail bit)が付加される。さらに、前記ＣＲＣ及びテールビットが付加された情報データは、ブロック６０７で１／３コーディング(coding rate＝１／３)が遂行され、その結果、８０４ビットとして生成される。ここで、前記コーディング方式は、畳み込み(convolutional)コーディング方式であると仮定する。前記畳み込みコーディングされたビットは、ブロック６０９でインターリービングされた後、ブロック６１１及びブロック６１３でＮi,j＝４０２のサイズを有する２つの無線フレームに分割される。前記２つの無線フレームは、それぞれブロック６１５及びブロック６１７でレートマッチングされて、実際物理チャネルに適した４９０ビットとして生成される。
【００４８】
一方、図７の１／３ＤＰＣＣＨゲーティングにおけるゲーティング動作が遂行される時、前記ゲーティングの遂行の直前に所定のバッファに貯蔵された前記４０２ビットの無線フレームに基づいて、性能による適したダミービット列(dummy bit stream)のサイズを決定し、前記情報データにダミービットを挿入する。従って、図７のブロック７１１及び７１３において、前記情報データビットの数は、本発明による数式を選択的に利用して、
【数２５】
0004173665.tif 000026
になる。ここで、前記
【数２６】
0004173665.tif 000027
は、前記コーディングレート(１／３)の逆数(３)の倍数であるので、そのまま１３２の値を有する。さらに、
【数２７】
0004173665.tif 000028
は、６００／３＝２００の値を有する。図７は、前記１／３ゲーティングが使用される場合のチャネルコーディングク構造、つまり、チャネル多重化構造を示し、実際伝送される情報データビットの長さは、前記チャネル多重化の逆順に、
【数２８】
0004173665.tif 000029
にＴＴＩ当たりの無線フレームの数を掛けて、その結果値をチャネルコーディングレートの逆数で割った後、さらにテールビット及びＣＲＣビットを減算することによって計算される。つまり、
【数２９】
0004173665.tif 000030
である。前記データビットの長さは、制御器(図示せず)によって計算され、前記計算されたデータビットの長さの情報データは、前記アップリンク及びダウンリンク伝送チャネルを形成するために、図３のアップリンク伝送チャネル生成ブロック３０１及び図４のダウンリンク伝送チャネル生成ブロック４０１に提供される。前記ゲーティングの遂行の間には、実際伝送されるユーザデータが存在しないので、ブロック７０１の６４ビットのデータは無意味なダミービットを使用する。
【００４９】
次に、専用制御チャネル(Dedicated Control Channel: 以下、ＤＣＣＨと称する)の場合、ＴＴＩが４０ｍｓであるので、Ｎi,jは、図６のブロック６４１において９０の値を有する。従って、図７のブロック７４１において、前記データビット数は、
【数３０】
0004173665.tif 000031
になる。この場合、前記データビットの長さは２０ビットになるべきであり、伝送するデータが存在しないゲーティング状況を考慮して、ダミービットをデータビットとして使用する。
【００５０】
次に、本発明の第２実施形態において、前記専用制御チャネルのゲーティングレートが１／５であると仮定して説明する。まず、２つの論理チャネル(ＤＴＣＨ及びＤＣＣＨ)のうち前記ＤＴＣＨを説明する。図６を参照すると、ブロック６０１で２４４ビットの情報データが受信され、ブロック６０３で前記情報データに１６ビットのＣＲＣが付加され、ブロック６０５で前記ＣＲＣが付加された情報データに８ビットのテールビットが付加される。さらに、前記ブロック６０７の出力データは、８０４ビットになる。前記８０４ビットの出力データは、ブロック６０９でインターリービングされた後、ブロック６１１でＮi,j ＝４０２ビットの２つの無線フレームに分割される。前記４０２ビットの無線フレームは、ブロック６１５及び６１７でそれぞれレートマッチングされる。
【００５１】
一方、ゲーティングが使用されると、前記ゲーティング動作の直前に所定のバッファに貯蔵された前記４０２ビットの無線フレームに基づいて適したダミービット列のサイズを決定した後、前記情報データにダミービットを挿入する。従って、図８のブロック８１１及び８１３において、前記情報データビットの数は、本発明による数式を利用して、
【数３１】
0004173665.tif 000032
になる。しかしながら、前記ビット数８０が前記コーディングレートの逆数の倍数でないので、前記情報データは、穿孔によって、前記コーディングレートの逆数３の倍数であり、かつ、ダウンリンク整数である７８の値を有するようになる。さらに、本発明の他の数式を利用して、前記情報データは、
【数３２】
0004173665.tif 000033
になる。ここで、２番目の数式に基づいた前記
【数３３】
0004173665.tif 000034
は、前記コーディングレートの逆数３の倍数であるので、そのまま７８の値を有する。さらに、前記
【数３４】
0004173665.tif 000035
は、６００/５＝１２０の値を有する。１／５ゲーティングが使用される場合のチャネル多重化構造は図８のようであり、実際伝送される情報データビットは、
【数３５】
0004173665.tif 000036
にＴＴＩ当たりの無線フレームの数を掛け、その結果値をチャネルコーディングレートの逆数で割った値からテールビット及びＣＲＣビットの減算することによって計算される。本実施形態において、前記実際伝送される情報ヒットは、
【数３６】
0004173665.tif 000037
である。前記データビットの長さは、制御器(図示せず)によって計算され、前記計算されたデータビットの長さは、前記アップリンク及びダウンリンク伝送チャネルを形成するために、図３の前記アップリンク伝送チャネル生成ブロック３０１及び図４のダウンリンク伝送チャネル生成ブロック４０１に提供される。この時、前記ゲーティングの時に伝送されるユーザデータ(user data)が存在しないので、前記２８ビットのデータはブロック８０１で無意味なダミービットを使用する。
【００５２】
次に、前記ＤＣＣＨを説明すると、ＴＴＩが４０ｍｓであるので、ブロック６４１でＮi,jは９０の値を有する。従って、図８のブロック８４１において、前記データビット数は、
【数３７】
0004173665.tif 000038
になる。この場合、前記データビットの長さは、４ビットになるべきであり、伝送するデータが存在しないゲーティング状況を考慮してダミービットをデータビットとして使用する。
【００５３】
図９乃至図１１を参照して、本発明の第３及び第４実施形態によるダウンリンクＤＰＣＣＨゲーティングにおいて使用される多重化方法を説明する。
【００５４】
前記ダウンリンクチャネルの場合、前記従来の技術において説明したように、３ＧＰＰ ＴＳ ２５.２１２によると、レートマッチングはＴＴＩ単位で遂行されるので、
【数３８】
0004173665.tif 000039
に基づいて遂行される。従って、前記アップリンクチャネルの場合も、本発明で提案しているように、前記ダウンリンクチャネルのための
【数３９】
0004173665.tif 000040
を定義して、レートマッチングにおいて前記
【数４０】
0004173665.tif 000041
の代わりに使用する。前記
【数４１】
0004173665.tif 000042
は、ダウンリンクチャネルでゲーティング動作の以前に伝送される前記シンボルまたはビットの伝送電力レベルと、前記ゲーティングの時に前記外部循環電力制御のために伝送されるＣＲＣビットまたは他のビットの伝送電力レベルを、同一にまたは類似に維持させるために設定される伝送フォーマットがｌである伝送チャネルｉの１つのＴＴＩに含まれるビットの数として解析されることができる。前記ゲーティングの以前に伝送されるシンボルまたはビットの伝送電力レベルと、前記ゲーティングの時に前記外部循環電力制御のために伝送されるＣＲＣビットまたは残りのビットの伝送電力レベルを同一にまたは類似に維持させる理由は、前記ゲーティングの時に伝送されるＣＲＣビットまたは残りのビットが
【数４２】
0004173665.tif 000043
の設定なしで伝送されると、実際の伝送において過度に反復されて伝送される可能性があるからである。前記過度な反復伝送は、前記ゲーティングの間に実際の伝送において前記目標ＳＩＲを減少させ、前記目標ＳＩＲの減少は、前記ゲーティングの以後の前記外部循環電力制御の時に電力制御エラーを発生させる原因になる。前記
【数４３】
0004173665.tif 000044
の設定方法において、ゲーティングレートが１／ｎであり、かつ、チャネルコーディングレートがＲである場合、
【数４４】
0004173665.tif 000045
になり、前記
【数４５】
0004173665.tif 000046
の意味を満足させる他の方法によって設定することもできる。前記２番目の数式、つまり、
【数４６】
0004173665.tif 000047
は、前記
【数４７】
0004173665.tif 000048
の設定において、前記チャネルコーディング方法の以前に設定される前記ＣＲＣビットまたは前記残りビットの値が常に整数であるという利点がある。従って、前記
【数４８】
0004173665.tif 000049
を新しく定義することによってゲーティングの時に伝送されるユーザデータは存在しないが、ＣＲＣの反復なしで
【数４９】
0004173665.tif 000050
長さをマッチングするダミービットをデータビットとして使用して専用物理データチャネルを生成する。
【００５５】
前記
【数５０】
0004173665.tif 000051
を＜数式２＞及び＜数式３＞の
【数５１】
0004173665.tif 000052
の代わりに使用して前記伝送フォーマット組合せに関係なく前記伝送チャネルの位置が固定される場合、＜数式２＞によってＮi,*を計算する。しかしながら、前記伝送チャネルの位置が可変である場合、＜数式３＞によってＮi,jを計算する。前記ダウンリンクレートマッチングは、前記Ｎi,*はまたはＮi,jを利用して、＜数式５＞及び３ＧＰＰ ＴＳ ２５.２１２に定義された方法によって遂行される。しかしながら、前記レートマッチングの過程において前記Ｎi,*を利用する場合は、＜数式５＞にＮi,jの代わりにＮi,*を入れる。前記ダウンリンクレートマッチングの過程において、無線フレーム当たりＣＣＴｒＣＨに充填されるビットの総数は、伝送フォーマット組合せｊに関係ないので、＜数式５＞における
【数５２】
0004173665.tif 000053
の代わりに
【数５３】
0004173665.tif 000054
を使用する。前記
【数５４】
0004173665.tif 000055
は、前記ゲーティングの時に１つの無線フレームに充填されるＣＣＴｒＣＨのビットの総数である。前記ゲーティングレートが１／ｎである場合、
【数５５】
0004173665.tif 000056
であり、ここで、Ｐは、１つの無線フレームに含まれる伝送チャネルの数である。
【００５６】
前述したように、本発明は、前記ＤＰＣＣＨのゲーティングの時に前記
【数５６】
0004173665.tif 000057
値を新しく定義して伝送するデータは存在しないが、
【数５７】
0004173665.tif 000058
長さをマッチングするためのダミービットをデータビットとして使用して、ＤＰＤＣＨを生成する。従って、前記ＤＰＣＣＨゲーティングの遂行の時にも、前記ＣＲＣが付加されたＤＰＤＣＨを過度なＣＲＣの反復なしで送信することができる。その結果、信頼性のある目標ＳＩＲを決定することができるので、効果的な外部循環電力制御が可能になる。
【００５７】
図９は、Ｗ−ＣＤＭＡ通信システムで使用される１２.２.ｋｂｐｓの性能を有するダウンリンクチャネルの構造を示し、図１０は、前記１／３ＤＰＣＣＨゲーティングが使用される場合に変更される図９のダウンリンクチャネルを示す。まず、２つの論理チャネルのうちＤＴＣＨに関して説明する。図９を参照すると、ブロック９０１で２４４ビットの情報データが受信され、ブロック９０３で１６ビットのＣＲＣが前記情報データに付加され、ブロック９０５で前記ＣＲＣが付加された情報ビットに８ビットのテールビットが付加される。さらに、ブロック９０７において、チャネルエンコーディング部によって、
【数５８】
0004173665.tif 000059
は８０４の値を有し、Ｎdata,*は４２０の長さを有する。
【００５８】
従って、図１０のブロック１００７において、
【数５９】
0004173665.tif 000060
である。さらに、
【数６０】
0004173665.tif 000061
であるので、前記レートマッチングブロック１００９の出力は２２８ビットになる。１／３ゲーティングを使用する場合のダウンリンクチャネル多重化構造は、図１０に示すようであり、従って、前記データビットの長さは６５ビットになるべきである。前記データビットの長さは、制御器(図示せず)によって計算され、前記計算されたデータビットの長さの情報データは、図３の前記アップリンク伝送チャネル生成ブロック３０１及び図４の前記ダウンリンク伝送チャネル生成ブロック４０１に提供される。前記ゲーティングの時に伝送されるデータが存在しないので、６５ビットのデータは、無意味なダミービットを使用する。通常、ダミービットの例として‘０’またはＤＴＸビットを使用することができる。
【００５９】
次に、前記ＤＣＣＨの場合、図９のブロック９３７の出力は
【数６１】
0004173665.tif 000062
の値を有する。従って、図１０のブロック１０３７の出力ビットの数は、
【数６２】
0004173665.tif 000063
になる。この場合、データビットの長さは、２０ビットになるべきであり、伝送されるデータが存在しないゲーティング状況を考慮してダミービットをデータビットとして使用する。ブロック１０３９において、レートマッチング部の出力は１０４ビットになる。従って、１／３ゲーティングが使用される場合のチャネル多重化構造は、図１０に示すようである。前記データビットの長さは、制御器(図示せず)によって計算され、前記計算されたデータビットの長さの情報データは、図３の前記アップリンク伝送チャネル生成ブロック３０１及び図４の前記ダウンリンク伝送チャネル生成ブロック４０１に提供される。
【００６０】
以下、本発明の第４実施形態によるゲーティングレート１／５のＤＰＣＣＨゲーティングを使用する場合のチャネル多重化方法を説明する。図１１は、専用物理制御チャネルのゲーティングが使用される場合に変更される図９のダウンリンク基準チャネルの構造を示す。まず、２つのアップリンク論理チャネル(ＤＴＣＨ及びＤＣＣＨ)のうちＤＴＣＨに対して説明する。図９を参照すると、ブロック９０１で２４４ビットの情報データが受信され、ブロック９０３で１６ビットのＣＲＣが前記情報データに付加され、ブロック９０５で前記ＣＲＣが付加された情報データに８ビットのテールビットが付加される。さらに、ブロック９０７において、チャネルエンコーディング部によって、
【数６３】
0004173665.tif 000064
は８０４の値を有し、Ｎdata,*は４２０の長さを有する。
【００６１】
従って、図１１のブロック１１０７において、出力ビットの数は、
【数６４】
0004173665.tif 000065
であり、
【数６５】
0004173665.tif 000066
である。従って、ブロック１１０９において、レートマッチング部は１３６ビットを出力する。前記１／５ゲーティングが使用される場合のチャネル多重化構造は、図１１に示すようである。従って、データビットの長さは２９ビットになるべきである。前記データビットの長さは、制御器(図示せず)によって計算され、前記計算されたデータビットの長さの情報データは、図３の前記アップリンク伝送チャネル生成ブロック３０１及び図４の前記ダウンリンク伝送チャネル生成ブロック４０１に提供される。この時、前記ゲーティングの時に伝送されるデータが存在しないので、前記２９ビットのデータは無意味なダミービットを使用する。通常、前記ダミービットは‘０’またはＤＴＸビットを使用する。
【００６２】
次に、前記ＤＣＣＨの場合、図１０のブロック１０３７において
【数６６】
0004173665.tif 000067
である。従って、図１１のブロック１１３７において、
【数６７】
0004173665.tif 000068
である。この場合、前記データビットの長さは４ビットになるべきであり、伝送するデータが存在しないゲーティング状況を考慮して、ダミービットをデータビットとして使用する。ブロック１１３９において、前記レートマッチング部は６４ビットを出力する。従って、前記１／５ゲーティングが使用される場合のチャネル多重化構造は、図１１示すようである。前記データビットの長さは制御器(図示せず)によって計算され、前記計算されたデータビット長さの情報データは、図３の前記アップリンク伝送チャネル生成ブロック３０１及び図４の前記ダウンリンク伝送チャネル生成ブロック４０１に提供される。
【００６３】
一方、本発明の第５実施形態は、前記アップリンクチャネルまたは前記ダウンリンクチャネルにおいて、実際伝送する伝送チャネルデータは存在しないが、前記外部循環電力制御のために専用物理チャネルを伝送する必要がある場合、専用物理データチャネルを通してデータを伝送する装置及び方法を提供する。前記本発明の第５実施形態は、前記外部循環電力制御のための目標ＳＩＲを適切に維持するために、前記専用物理データチャネルを通してＣＲＣビット及びダミービットを伝送する。これは、図１２及び図１３を参照して説明する。
【００６４】
図１２は、本発明の実施形態による専用物理チャネルの多重化過程を示す。図１２を参照すると、ノードＢ(Node B)は、前記専用物理データチャネルを通して伝送チャネルデータ及びＣＲＣビットを伝送するうち(１２０１段階)、それ以上伝送する伝送チャネルデータが存在しないと判断される場合(１２０３段階)、適した外部循環電力制御のためにそれ以上伝送する伝送チャネルデータが存在しないので、前記伝送チャネルデータの代わりにダミービットをＣＲＣビットと共に伝送する(１２０５段階)。その後、前記専用物理データチャネルを通して伝送する伝送チャネルデータが発生する場合(１２０７段階)、前記ノードＢは、前記専用物理データチャネルを通して前記伝送チャネルデータ及び前記ＣＲＣビットを正常に伝送する(１２０１段階)。ここで、前記ダミービット値は‘１’または‘０’になることができる。
【００６５】
前記伝送チャネルデータが存在しない時に伝送される前記ダミービットの量は、前記伝送チャネルデータが存在しない時に前記外部循環電力制御の目標ＳＩＲをどうやって維持させるかによって変わる。例えば、前記ノードＢは、前記伝送チャネルデータが最後に伝送された時と同一の目標ＳＩＲを維持させるためには、前記最後に伝送された伝送チャネルデータと同一の量のダミービットを伝送すべきであり、それによって、前記専用物理データチャネルを通して実際に伝送される伝送チャネルデータは存在しないが、伝送チャネルデータが存在する時と同一に目標ＳＩＲを維持させることができる。
【００６６】
例えば、図６に示すように、前記ＤＴＣＨを通して２０ｍｓのＴＴＩごとに２４４ビットの伝送チャネルデータが伝送され、かつ、前記ＤＣＣＨを通して４０ｍｓのＴＴＩごとに１００ビットの伝送チャネルデータが伝送される場合、実際伝送チャネルデータが存在する時と同一の外部循環電力制御を遂行するために、実際伝送チャネルデータが存在しない時に伝送されるダミービットの数も、前記ＤＴＣＨを通しては２０ｍｓのＴＴＩごとに２４４ビットが伝送され、前記ＤＣＣＨを通しては４０ｍｓのＴＴＩごとに１００ビットが伝送されるべきである。これと違って、実際に伝送される伝送チャネルデータは存在しないが、前記外部循環電力制御のために伝送されるＣＲＣビットと共に伝送されるダミービットの数を一定の値に予め設定することもできる。この時、ゲーティングが遂行されると、前記ゲーティングレートを考慮して、前記ダミービットの数を設定すべきである。
【００６７】
図１２は、実際伝送チャネルデータは存在しないが、前記外部循環電力制御のために専用物理チャネルを維持する場合、前記外部循環電力制御のためのＣＲＣビット及びダミービットを生成する過程を説明する。次に、図１３を参照して、前記外部循環電力制御のための前記ＣＲＣビット及び前記ダミービットの生成装置を説明する。
【００６８】
図１３は、本発明の実施形態による専用物理チャネルの多重化装置を示す。特に、図１３は、図１２で説明したように、前記伝送チャネルデータが存在しない時に前記外部循環電力制御のためにダミービット及びＣＲＣビットを伝送する装置を示す。
【００６９】
図１３を参照すると、制御器(controller)１３０７は、前記伝送チャネルデータ及び前記ＣＲＣビットを伝送する間、伝送する伝送チャネルデータがさらに存在するか否かを判断する。ここで、前記伝送チャネルデータの存在有無は、前記制御器１３０７が自分に入力される情報ビット１３０５か存在するか否かを判断することによって決定される。前記入力される情報ビット１３０５が存在すると判断される場合、前記制御器１３０７は、一般的なＤＰＣＨ多重化過程のように前記入力された情報ビット１３０５をＣＲＣ挿入部(CRC attachment part)１３１１に提供する。前記ＣＲＣ挿入部１３１１は、前記制御器１３０７から出力される情報ビット１３０５にＣＲＣビットを挿入した後、前記ＣＲＣビットが挿入された前記情報ビット１３０５をチャネルマルチプレキシングチェーン(channel multiplexing chain)１３１３に提供する。前記チャネルマルチプレキシングチェーン１３１３は、前記ＣＲＣ挿入部１３１１から出力された信号を入力して、チャネルコーディング、インターリービング、無線フレーム分割、及びレートマッチングを含む一連のチャネル多重化過程を遂行することによって伝送チャネルデータを生成する。
【００７０】
しかしながら、前記制御器１３０７は、それ以上伝送する情報ビット１３０５が存在しないと判断する場合、実際伝送する伝送チャネルデータは存在しないが、前記外部循環電力制御のための前記専用物理チャネルを維持するために、前記情報ビット１３０５の代わりをするダミービットを生成する。より具体的に説明すると、前記制御器１３０７は、伝送する情報ビット１３０５が存在しないと判断される場合、ダミービット生成器(dummy bits generator)１３０１にダミービット生成要求信号１３０９を伝送する。前記ダミービット生成器１３０１は、前記制御器１３０７からダミービット生成要求信号１３０９を受信すると、前記情報ビット１３０５の代わりをするダミービットを生成する。ここで、前記ダミービットは、‘０’または‘１’の値を有し、前記ダミービット生成器１３０１によって生成されるダミービットの数は、前記制御器１３０７によって制御される。つまり、前記制御器１３０７は、前記ダミービット生成器１３０１によって生成されるダミービット列１３０３のパターン及び長さを決定する。さらに、前記ダミービット列１３０３の長さは、図１２で説明したように、ダミービットを伝送する前に最後に伝送された伝送チャネルデータのビット数またはシステムにおいて予め設定された長さに設定される。ここで、前記ダミービットを伝送する前に最後に伝送された伝送チャネルのデータビット数は、一般のＤＰＣＨ物理チャネル伝送において伝送チャネルデータが存在する時に伝送される伝送チャネルのデータビット数であり、前記一般のＤＰＣＨ伝送において伝送する伝送チャネルデータが無くなった場合、以前に伝送した伝送チャネルのデータビット数をもってダミービット列を生成する。
【００７１】
前記ダミービット生成器１３０１は、前記生成されたダミービット列１３０３を前記ＣＲＣ挿入部１３１１に出力し、前記ＣＲＣ挿入部１３１１は、前記ダミービット生成器１３０１から出力されたダミービット列１３０３に該当するＣＲＣビットを挿入した後、ＣＲＣビットが挿入された前記ダミービット列１３０３を前記チャネルマルチプレキシングチェーン１３１３に出力する。前記チャネルマルチプレキシングチェーン１３１３は、前記ＣＲＣ挿入部１３１１から出力された信号を入力して、チャネルコーディング、インターリービング、無線フレーム分割、及びレートマッチングなどを含む一連のチャネル多重化過程を通して伝送チャネルデータを生成する。
【００７２】
図１２及び図１３で説明したように、実際伝送チャネルデータは存在しないが、前記外部循環電力制御のための専用物理チャネルを維持する場合、ＣＲＣ及びダミービットを利用して、実際伝送チャネルデータが伝送される時と同一のビット列を伝送するように制御して、前記外部循環電力制御の時に目標ＳＩＲが低減することを防止する。従って、一定の外部循環電力制御利得を維持することができる。
【００７３】
一方、本発明は、その他に第２インターリーバを提供する。前記第２インターリーバ３１３及び４１２は、図３の前記アップリンクチャネル多重化構造及び図４の前記ダウンリンクチャネル多重化構造に示したように、物理チャネルマッピング部の前段に位置する。一般的な第２インターリーバは、ブロックインターリーバの性能を有し、下記のように動作する。
【００７４】
前記第２インターリーバの入力ビットをｕp,1,ｕp,2,...,ｕp,Uと定義し、ここで、ｐは、物理チャネルの番号であり、Ｕは、１つの物理チャネルに含まれる全体ビットの長さである。前記第２インターリーバは、固定した列(column)の数Ｃ２(３０に設定)を有し、データによって可変する行(row)の数Ｒ２を有する行列を定義する。前記Ｒ２は、Ｕ≦Ｒ２×Ｃ２の式を満足する最小の整数になるべきである。前記入力ビットｕp,1,ｕp,2,...,ｕp,Uは、行に沿って入力されて、＜数式６＞のようなＲ２×Ｃ２の行列を生成する。
【数６８】
0004173665.tif 000069
【００７５】
＜数式６＞の行列において,ｙp,k＝ｕp,kであり、ｋ＝１,２,...,Ｕである。Ｕ＜Ｒ２×Ｃ２である場合、ダミービットが添加されてＲ２×Ｃ２＝Ｕを満足させる。＜数式６＞に示す行列は、表１を利用して列置換(column permutation)の過程を経る。
【表１】
0004173665.tif 000070
【００７６】
つまり、前記行列の各列を表１の列置換の形態のように再配列して、０番目の列を０番目の列に、２０番目の列を１番目の列に、１０番目の列を２番目の列に、...のように配列して、＜数式７＞のような行列を生成する。
【数６９】
0004173665.tif 000071
【００７７】
前記第２インターリーバ、つまり、ブロックインターリーバは、ｙ’p,1,ｙ’p,2, ...,ｙ’p,Uのように行に沿ってビットを出力し、前記第２インターリーバに添加されたダミービットに対応する出力ビットは削除される。これによって、前記第２インターリーバの動作は終了する。前記第２インターリーバの出力は、図３で説明した物理チャネルマッピング部３１４または図４で説明した物理チャネルマッピング部４１５に入力されて物理チャネルマッピングされる。
【００７８】
一方、前記ＤＰＣＣＨのゲーティングが使用される場合、前記第２インターリーバの動作は変わる。つまり、前記第２インターリーバの入力ビットの数が前記ゲーティングを使用しない時に比べて前記ゲーティングレートの分だけ少なくなり、また、前記第２インターリーバの出力もゲーティングされてから選択されたスロットのみを通して伝送される。本発明は、前記ＤＰＣＣＨゲーティングが使用される時に適用できる変更された第２インターリーバを提供し、以下、そのインターリービング方法を説明する。
【表２】
0004173665.tif 000072
【表３】
0004173665.tif 000073
【００７９】
表２は、ゲーティングレートによってダウンリンクＤＰＣＣＨが伝送されるスロットを示し、表３は、前記ゲーティングレートによってアップリンクＤＰＣＣＨが伝送されるスロットを示す。表２において、ＤＲＸ(Discontinuous Reception)サイクルは、前記アップリンクＤＰＣＣＨをゲーティングレートによってゲーティングする間、ゲーティングを遂行しなくて全体のアップリンクＤＰＣＣＨ信号を受信する周期(interval)を意味する。
【数７０】
0004173665.tif 000074
【００８０】
＜数式８＞において、Ｎは、前記ゲーティングレートの逆数であり、Ｓ＝１５／Ｎに定義する。Ａjは、＜数式９＞に示したように定義され、ｉは、ＣＦＮ(Current Frame Number)番号であり、Ｃi＝ｉ＋２５６＊ｉである。
【数７１】
0004173665.tif 000075
【００８１】
前記ＤＰＣＣＨのゲーティングが使用される場合、１０ｍｓの長さを有する１つの無線フレームで伝送されるスロットのフォーマットは、＜数式８＞及び表２、３を利用して決定される。つまり、＜数式８＞において、ｓ(ｉ,ｊ)の値によって表２を利用してダウンリンクにおけるＰｉｌｏｔ、ＴＰＣ、ＴＦＣＩビットの伝送スロットを決定することができ、表３を利用してアップリンクにおける全てのビットの伝送スロットを決定することができる。前記外部循環電力制御のための専用物理データチャネルは、ダウンリンクではＴＰＣと同一のスロットを通して伝送され、アップリンクではＰｉｌｏｔ、ＴＰＣ、ＦＢＩ、及びＴＦＣＩと同一のスロットを通して伝送される。
【００８２】
従って、前記説明した伝送スロットのフォーマットに適するように、前記第２インターリーバの動作は、既存のＤＰＣＣＨのゲーティング(つまり、正常伝送モード)が使用されない場合とは相違して遂行されるべきである。以下、本発明の第６及び第７実施形態によるＤＰＣＣＨのゲーティングの時に使用される第２インターリーバの動作に関して説明する。
【００８３】
まず、本発明の第６実施形態において、前記ゲーティングが使用されるシステムで、前記第２インターリーバは、伝送されるデータが１つの無線フレーム内の１５個のスロットのうち、ゲーティングレートによって選択された数個のスロットのみにマッピングされるようにする。
【００８４】
前記ゲーティングが使用される時、前記第２インターリーバの入力ビットの数は、前記ゲーティングが使用されない時に比べて前記ゲーティングレートの分だけ減少する。従って、＜数式６＞に示す行列のサイズを維持させるために、ダミービットを添加する必要がある。前記ダミービットの添加において、既存のゲーティングが使用されない場合に適用される第２インターリーバの行列をそのまま使用して物理チャネルにマッピングするためには、表２、表３、及び＜数式８＞で定義されたゲーティングのスロットのフォーマットに合わせてインターリービングされた信号がマッピングされるように前記第２インターリーの入力をマッチングする必要がある。つまり、現在ゲーティングされて伝送されるスロットの番号が決定されると、それによって、＜数式７＞において伝送されるスロットに対応する列が決定され、次に、＜数式６＞において列置換の以前のデータのうち伝送される意味のある列が決定される。つまり、第２インターリービングの時にデインターリービング(deinterleaving)の意味を使用する。この場合、前記第２インターリーバの入力を＜数式６＞の意味のある列のみに入力し、残りの無意味な列にはダミービットを使用して入力する。従って、第２インターリービングの後の出力を既存の方法と同一の方法によって物理チャネルにマッピングする時、ゲーティングを通して伝送されるスロットのみに意味のあるデータがマッピングされる。
【００８５】
例えば、ゲーティングレートが１／３で、かつ、ＣＦＮ＝０である場合、Ｓ＝５、Ｎ＝３である。従って、＜数式６＞によって、ｓ(０,ｊ)は{１,１,０,２,２}になる。従って、表２から見て、ダウンリンクチャネルは、１、４、６、１１、及び１４番のスロットを通してＴＰＣ、ＴＦＣＩ、及びＤＰＤＣＨチャネルを伝送し、０、３、５、１０、及び１３番のスロットを通してはＰｉｌｏｔを伝送する。前記１、４、６、１１、１４番のスロットを通してＤＰＤＣＨが伝送されるために、第２インターリーバの出力は、＜数式７＞における２、３、８、９、１２、１３、２２、２３、２８、及び２９番目の列のみに、意味のあるデータ、つまり、前記第２インターリーバに入力されたビットが存在すべきである。従って、表１の逆列置換を通して＜数式６＞における１、５、８、９、１０、１１、１７、２３、２７、２９番目の列のみに意味のあるデータが存在すべきである。
【００８６】
さらに、図４の第２インターリーバ４１４の入力は、＜数式６＞の行列において行に沿って入力されるが、前記１、５、８、９、１０、１１、１７、２３、２７、２９番目の列のみにデータが充填され、残りの列にはダミービットが充填される。前記第２インターリーバは、前記データビット及びダミービットが受信された後、表１の列置換を通して＜数式７＞の行列を生成し、前記行列の列に沿って２つの列が１つのスロットにマッピングされる方式で、全部１５個のスロットにマッピングされる。意味のあるデータは、１、４、６、１１、１４番のスロットにマッピングされ、ゲーティング状況において伝送が正常に行われる。
【００８７】
第７実施形態において、ゲーティングが使用されるシステムで、伝送されるデータを１つの無線フレーム内の１５個のスロットのうち前記ゲーティングレートによって選択された数個のスロットのみにマッピングさせる前記第２インターリーバの他の例を説明する。ゲーティングが使用される場合、前記第２インターリーバの入力は、ゲーティングが使用されない場合に比べて前記ゲーティングレートの分だけ減少する。従って、＜数式６＞に示す行列の列の数を既存の値と同一に合わせると、行の数も前記ゲーティングレートによって減少する。つまり、既存の方法をそのまま使用して行に沿って入力ビットを入力した後、最後の行を充填するためにダミービットを挿入し、次に、表１の列置換を遂行することで、＜数式７＞の出力行列を生成する。同様に、既存のゲーティングを使用しない場合の出力行列に比べて列の数が前記ゲーティングレートによって減少する。この行列の元素値を行に沿って読み出してゲーティングを通して伝送されるスロットのみにマッピングする場合、他のダミービットの入力なしで前記第２インターリーバに入力された全ての意味のあるビットはゲーティングを通して伝送されるスロットのみにマッピングされて、効果的なインターリービングを遂行するようになる。
【００８８】
例えば、ゲーティングレートが１／３で、かつ、ＣＦＮ＝０である場合、Ｓ＝５、Ｎ＝３である。＜数式６＞によって、ｓ(０,ｊ)は{１,１,０,２,２}になるので、表２の結果から見て、ダウンリンクチャネルは、１、４、６、１１、１４番目のスロットを通してＴＰＣ、ＴＦＣＩ、専用物理データチャネルを伝送し、０、３、５、１０、１３番目のスロットを通してＰｉｌｏｔを伝送する。ゲーティングが使用されない時、第２インターリービングにおいて、＜数式６＞の行列がＣ２＝３０、Ｒ２＝６０の値を有する６０＊３０の行列になり、前記ダミービットを添加する必要がない場合は、＜数式７＞の出力行列も６０＊３０のサイズの有して、列に沿って１つのスロットに２つの列をマッピングする。つまり、１つのスロットのサイズが１２０ビットになる。この場合、１／３ゲーティングが使用されると、＜前記６＞の行列が２０＊３０のサイズの行列になる。つまり、行のサイズがゲーティングレート１／３の分だけ減少する。表１の列置換を通して生成された＜数式７＞の行列も２０＊３０のサイズを有する。この場合、列に沿って全部１５個のスロットのうち５個のスロットにマッピングすると、１つのスロットに６列がマッピングされる。つまり、１つのスロットに２０＊６＝１２０ビットがマッピングされて、前記ゲーティングが使用されない場合と同一に前記データビットが伝送される。
【００８９】
第８実施形態において、ゲーティングが使用される場合における新しいインターリービングを提供する。既存のインターリービングにおいては、＜数式４＞及び＜数式５＞のＣ２の値をゲーティングレートで割って提供する。つまり、１／３ゲーティングの場合、Ｃ２の値は１０になり、１／５ゲーティングの場合、Ｃ２の値は６になる。本実施形態において、＜数式６＞及び＜数式７＞の行列は、行のみが減少され、列はゲーティングを使用しない時と同一である。しかしながら、表１に示す列 置換の形態は新しく指定されるべきである。列置換の形態は１／３ゲーティングにおいては１０個の列を置換し、１／５ゲーティングにおいては６個の列を置換する。一例として、表４及び表５のような方法を使用することきができる。
【表４】
0004173665.tif 000076
【表５】
0004173665.tif 000077
【００９０】
結果的に、インターリービングの出力である＜数式７＞の行列において、前記ゲーティングレートに関係なく列に沿って１つのスロットに２つの列内のデータをマッピングさせることによって、第２インターリービングが効果的に遂行される。
【００９１】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００９２】
【発明の効果】
前述してきたように、ＣＤＭＡ移動通信システムにおいて、アップリンクまたはダウンリンクチャネルで伝送チャネルデータは存在しないが、前記外部循環電力制御のためにＣＲＣビットを伝送する時、目標ＳＩＲが適切に維持されるようにダミービット及びＣＲＣビットを共に伝送することによって、信頼性のある外部循環電力制御を遂行することができる。
【００９３】
さらに、本発明は、専用物理チャネルの一般伝送においても、伝送チャネルデータが一時的に存在しない場合、つまり、実際伝送する伝送チャネルデータは存在しないが、前記外部循環電力制御のための専用物理チャネルを維持させる場合、前記伝送チャネルデータが存在しない時点の直前の伝送チャネルデータの数と同一にダミービット列を伝送するか、または、システムに予め設定されているダミービット列を伝送することによって、前記外部循環電力制御の時に目標ＳＩＲが低下することを防止する。従って、前記外部循環電力制御利得が適切に維持されるようになり、これによって、前記伝送チャネルデータが再び発生する場合も、持続的に以前と同一の外部循環電力制御ができるという利点がある。
【００９４】
さらに、送信器が専用物理制御チャネルをゲーティング伝送する時に、専用物理データチャネルをゲーティングレートによって伝送することによって、ゲーティング伝送の時にも受信器が専用物理データチャネルを受信することができるので、正確な外部循環電力制御を遂行することができる。
【図面の簡単な説明】
【図１】  一般的な移動通信システムでダウンリンク専用物理チャンネルの構造を示す図である。
【図２】  一般的な移動通信システムでアップリンク専用物理チャンネルの構造を示す図である。
【図３】  本発明の実施形態によるＷ-ＣＤＭＡ通信システムでの外部循環電力制御のためのアップリンク専用物理チャンネルを多重化する方法を示す図である。
【図４】  本発明の実施形態によるＷ-ＣＤＭＡ通信システムでの外部循環電力制御のためのダウンリンク専用物理チャンネルを多重化する方法を示す図である。
【図５】  移動通信システムでダウンリンク物理共通チャンネルの構造を示す図である。
【図６】  本発明の実施形態によるＷ-ＣＤＭＡ通信システムで使用した１２.２ｋｂｐｓの性能を有するアップリンクチャンネルをチャンネルコーディングする過程を示す図である。
【図７】  １／３ＤＰＣＣＨゲーティングの場合、図６のモディファイドアップリンクチャンネルを示す図である。
【図８】  １／５ＤＰＣＣＨゲーティングの場合、図６のモディファイドアップリンクチャンネルを示す図である。
【図９】  本発明の実施形態によるＷ-ＣＤＭＡ通信システムで使用した１２.２ｋｂｐｓの性能を有するダウンリンクチャンネルの構造を示す図である。
【図１０】  １／３ＤＰＣＣＨゲーティングの場合、図９のモディファイドダウンリンクチャンネルを示す図である。
【図１１】  １／５ＤＰＣＣＨゲーティングの場合、図９のモディファイドダウンリンクチャンネルを示す図である。
【図１２】  本発明の一実施形態による専用物理チャンネルを多重化する過程を示す図である。
【図１３】  本発明の一実施形態による専用物理チャンネルを多重化する装置を示す図である。
【符号の説明】
１３０１  ダミービット生成器
１３０３  ダミービット列
１３０７  制御器
１３０９  ダミービット生成要求信号
１３１１  ＣＲＣ挿入部
１３１３  チャネルマルチプレキシングチェーン
【図１】
0004173665.tif 000078
【図２】
0004173665.tif 000079
【図３】
0004173665.tif 000080
【図４】
0004173665.tif 000081
【図５】
0004173665.tif 000082
【図６】
0004173665.tif 000083
【図７】
0004173665.tif 000084
【図８】
0004173665.tif 000085
【図９】
0004173665.tif 000086
【図１０】
0004173665.tif 000087
【図１１】
0004173665.tif 000088
【図１２】
0004173665.tif 000089
【図１３】
0004173665.tif 000090